(57)【要約】      （修正有）【課題】加速性能を向上させつつ減速時における回生エネルギの回収量を増加させることが可能なハイブリッド車両の制御装置を提供する。【解決手段】サンギヤに第１ＭＧが、キャリアにエンジンが、リングギヤに出力部がそれぞれ接続された遊星歯車機構を含む動力分割機構と、出力部に動力を出力できる第２ＭＧとを備え、エンジンの出力軸に可変慣性フライホイールが設けられたハイブリッド車両に適用され、車両の加速が要求された場合（Ｓ１２）には、第２ＭＧから駆動輪に動力を出力する加速制御を実行する制御装置において、加速が要求されている場合（Ｓ１２）、第２ＭＧから出力されているトルクが切替トルクに達するまで（Ｓ１４）は可変慣性フライホイールが低慣性状態に切り替えられ（Ｓ１５）、第２ＭＧから出力されているトルクが切替トルクに達した後（Ｓ１４）は可変慣性フライホイールが前記高慣性状態に切り替えられる（Ｓ１７）。【選択図】図３
2014125141.tif 000002
【特許請求の範囲】
【請求項１】
内燃機関と、
発電機と、
駆動輪に動力を伝達するための出力部と、
相互に差動回転可能な第１回転要素、第２回転要素、及び第３回転要素を有し、前記第１回転要素に前記内燃機関が、前記第２回転要素に前記発電機が、前記第３回転要素に前記出力部がそれぞれ接続された差動機構を含む動力分割機構と、
前記出力部に動力を出力できる電動機と、
前記内燃機関の出力軸及び前記発電機の回転軸の少なくともいずれか一方に設けられ、かつ高慣性状態及び前記高慣性状態よりも慣性モーメントが小さくなる低慣性状態に切替可能な可変慣性フライホイールと、を備えたハイブリッド車両に適用され、
前記車両に対して加速が要求された場合には、前記電動機から前記駆動輪に動力を出力する加速制御を実行し、
前記車両の減速時には、前記駆動輪から入力された動力で前記発電機を駆動して回生発電を行う回生制御を実行する制御装置において、
前記車両に対して加速が要求されている場合、前記電動機から出力されているトルクが所定の切替トルクに達するまでは前記可変慣性フライホイールを前記低慣性状態に切り替え、前記電動機から出力されているトルクが前記切替トルクに達した後は前記可変慣性フライホイールを前記高慣性状態に切り替える制御手段を備えている制御装置。
【請求項２】
前記切替トルクは、前記電動機から出力可能なトルクの最大値である請求項１に記載の制御装置。
【請求項３】
前記切替トルクは、前記電動機の定格トルクである請求項１に記載の制御装置。
【請求項４】
前記制御手段は、前記車両に対して加速が要求されている場合、前記電動機から出力可能なトルクに影響を与える物理量が所定の上限値に達するまでは前記可変慣性フライホイールを前記低慣性状態に切り替え、前記物理量が前記上限値に達した後は前記可変慣性フライホイールを前記高慣性状態に切り替える請求項１〜３のいずれか一項に記載の制御装置。
【請求項５】
前記車両は、前記発電機及び前記電動機が電気的に接続されたバッテリをさらに備え、
前記制御手段は、前記バッテリを充電すべき所定の充電条件が成立している場合には、前記車両に対して加速が要求されており、かつ前記電動機から出力されているトルクが前記切替トルクに達した後も前記可変慣性フライホイールを前記低慣性状態に維持する請求項１〜４のいずれか一項に記載の制御装置。
【発明の詳細な説明】
【技術分野】
【０００１】
本発明は、内燃機関の動力を発電機と駆動輪に動力を伝達するための出力部とに分配可能な動力分割機構と、出力部に動力を出力可能な電動機とを備え、かつ内燃機関の出力軸又は発電機の回転軸に可変慣性フライホイールが設けられたハイブリッド車両に適用される制御装置に関する。
【背景技術】
【０００２】
内燃機関の動力をモータ・ジェネレータと駆動輪に動力を伝達するための出力部とに分配可能な動力分割機構と、出力部に動力を出力可能なモータ・ジェネレータとを備え、かつ内燃機関の出力軸に可変慣性フライホイールが設けられたハイブリッド車両が知られている。このようなハイブリッド車両の駆動装置として、車両に対して加速が要求された場合には可変慣性フライホイールの慣性質量を小さくする駆動装置が知られている（特許文献１参照）。その他、本発明に関連する先行技術文献として特許文献２が存在する。
【先行技術文献】
【特許文献】
【０００３】
【特許文献１】特開２００５−０８２１３８号公報
【特許文献２】特許第４１３５６９０号公報
【発明の概要】
【発明が解決しようとする課題】
【０００４】
車両に対して加速が要求された後は、車両に対して減速が要求される可能性が高い。特許文献１の装置では、加速要求中は可変慣性フライホイールを慣性質量が小さい低慣性状態にするので、減速が要求されたときに可変慣性フライホイールの状態を慣性質量が大きい高慣性状態に速やかに切り替えることができない。そのため、減速時に回生発電を行う場合に、回生エネルギを十分に回収できない可能性がある。
【０００５】
そこで、本発明は、加速性能を向上させつつ減速時における回生エネルギの回収量を増加させることが可能なハイブリッド車両の制御装置を提供することを目的とする。
【課題を解決するための手段】
【０００６】
本発明の制御装置は、内燃機関と、発電機と、駆動輪に動力を伝達するための出力部と、相互に差動回転可能な第１回転要素、第２回転要素、及び第３回転要素を有し、前記第１回転要素に前記内燃機関が、前記第２回転要素に前記発電機が、前記第３回転要素に前記出力部がそれぞれ接続された差動機構を含む動力分割機構と、前記出力部に動力を出力できる電動機と、前記内燃機関の出力軸及び前記発電機の回転軸の少なくともいずれか一方に設けられ、かつ高慣性状態及び前記高慣性状態よりも慣性モーメントが小さくなる低慣性状態に切替可能な可変慣性フライホイールと、を備えたハイブリッド車両に適用され、前記車両に対して加速が要求された場合には、前記電動機から前記駆動輪に動力を出力する加速制御を実行し、前記車両の減速時には、前記駆動輪から入力された動力で前記発電機を駆動して回生発電を行う回生制御を実行する制御装置において、前記車両に対して加速が要求されている場合、前記電動機から出力されているトルクが所定の切替トルクに達するまでは前記可変慣性フライホイールを前記低慣性状態に切り替え、前記電動機から出力されているトルクが前記切替トルクに達した後は前記可変慣性フライホイールを前記高慣性状態に切り替える制御手段を備えている（請求項１）。
【０００７】
本発明の制御装置では、車両に対して加速が要求されている場合、電動機から出力されているトルク（以下、出力トルクと称する。）が切替トルクに達するまでは可変慣性フライホイールを低慣性状態に切り替える。そのため、内燃機関の回転数を速やかに上昇させることができる。そのため、内燃機関の出力を増大させるために要する時間を短縮できる。また、可変慣性フライホイールの慣性モーメントを小さくすることにより、内燃機関の回転数を上昇させるために必要なエネルギを低減できる。これにより、例えば内燃機関の動力の一部で発電機を駆動し、発電機で発生した電力を電動機に回すことができる。この場合、電動機の出力トルクを速やかに上昇させることができるので、加速レスポンスを向上させることができる。そのため、加速性能を向上させることができる。
【０００８】
また、本発明の制御装置では、電動機の出力トルクが切替トルクに達した後は可変慣性フライホイールを高慣性状態に切り替える。そのため、減速時に最初から可変慣性フライホイールを高慣性状態にしておくことができる。周知のように慣性モーメントが大きい方が回生時に回収可能なエネルギを増加させることができる。そのため、本発明によれば、減速時における回生エネルギの回収量を増加させることができる。
【０００９】
本発明の制御装置の一形態において、前記切替トルクは、前記電動機から出力可能なトルクの最大値であってもよい（請求項２）。電動機の出力トルクがこの最大値に達した場合には、電動機の出力トルクをこれ以上増加させることができない。そのため、可変慣性フライホイールを高慣性状態に切り替えても加速レスポンスが悪化しない。
【００１０】
本発明の制御装置の一形態において、前記切替トルクは、前記電動機の定格トルクであってもよい（請求項３）。一般に電動機は定格トルクで動作させる。そのため、電動機の出力トルクが定格トルクに達した後は、電動機がその定格トルクで運転される可能性が高い。この場合、電動機の出力トルクがこれ以上増加しないので、可変慣性フライホイールを高慣性状態に切り替えても加速レスポンスが悪化しない。
【００１１】
本発明の制御装置の一形態において、前記制御手段は、前記車両に対して加速が要求されている場合、前記電動機から出力可能なトルクに影響を与える物理量が所定の上限値に達するまでは前記可変慣性フライホイールを前記低慣性状態に切り替え、前記物理量が前記上限値に達した後は前記可変慣性フライホイールを前記高慣性状態に切り替えてもよい（請求項４）。このような物理量が上限値に達した場合には、電動機の出力トルクを増加させることができなくなる。そのため、物理量が上限値に達した後は可変慣性フライホイールを高慣性状態に切り替えても加速レスポンスが悪化しない。
【００１２】
本発明の制御装置の一形態において、前記車両は、前記発電機及び前記電動機が電気的に接続されたバッテリをさらに備え、前記制御手段は、前記バッテリを充電すべき所定の充電条件が成立している場合には、前記車両に対して加速が要求されており、かつ前記電動機から出力されているトルクが前記切替トルクに達した後も前記可変慣性フライホイールを前記低慣性状態に維持してもよい（請求項５）。可変慣性フライホイールを低慣性状態に維持することで、発電機の駆動に用いることができるエネルギを増加させることができる。これにより発電量を増加させることができる。
【発明の効果】
【００１３】
以上に説明したように、本発明の制御装置によれば、電動機の出力トルクが切替トルクに達するまでは可変慣性フライホイールを低慣性状態に切り替え、電動機の出力トルクが切替トルクに達した後は可変慣性フライホイールを高慣性状態に切り替えるので、加速性能を向上させつつ減速時における回生エネルギの回収量を増加させることができる。
【図面の簡単な説明】
【００１４】
【図１】本発明の一形態に係る制御装置が組み込まれた車両を概略的に示す図。
【図２】可変慣性フライホイールの断面を示す図。
【図３】車両制御装置が実行するフライホイール制御ルーチンを示すフローチャート。
【図４】車両に対して加速が要求されているときの可変慣性フライホイールの状態、第２ＭＧの出力トルク、及びエンジンのトルクの時間変化の一例を示す図。
【発明を実施するための形態】
【００１５】
図１は、本発明の一形態に係る制御装置が組み込まれた車両のスケルトン図を示している。この車両１はいわゆるハイブリッド車両として構成されている。車両１は、内燃機関（以下、エンジンと称することがある。）１１と、第１モータ・ジェネレータ（以下、第１ＭＧと略称することがある。）１２と、第２モータ・ジェネレータ（以下、第２ＭＧと略称することがある。）１３とを備えている。エンジン１１は、ハイブリッド車両に搭載される周知のものであるため、詳細な説明を省略する。第１ＭＧ１２及び第２ＭＧ１３は、電動機及び発電機として機能する周知のモータ・ジェネレータである。第１ＭＧ１２は、ロータ軸１２ａと一体回転するロータ１２ｂと、ロータ１２ｂの外周に同軸に配置されてケース（不図示）に固定されたステータ１２ｃとを備えている。第２ＭＧ１３も同様に、ロータ軸１３ａと一体回転するロータ１３ｂと、ロータ１３ｂの外周に同軸に配置されてケースに固定されたステータ１３ｃとを備えている。
【００１６】
エンジン１１の出力軸１１ａ及び第１ＭＧ１２のロータ軸１２ａは、動力分割機構１４と接続されている。動力分割機構１４には、車両１の駆動輪２に動力を伝達するための出力部１５も接続されている。出力部１５は、第１ドライブギヤ１６と、第１ドライブギヤ１６と噛み合うとともにカウンタ軸１７に固定されたカウンタギヤ１８と、カウンタ軸１７に固定された出力ギヤ１９とを備えている。出力ギヤ１９は、デファレンシャル機構２０のケースに設けられたリングギヤ２０ａと噛み合っている。デファレンシャル機構２０は、リングギヤ２０ａに伝達された動力を左右の駆動輪２に分配する周知の機構である。なお、図１では左右の駆動輪２のうちの一方のみを示す。
【００１７】
動力分割機構１４は、差動機構としての遊星歯車機構２１を備えている。遊星歯車機構２１は、シングルピニオン型の遊星歯車機構であり、外歯歯車であるサンギヤＳと、そのサンギヤＳに対して同軸的に配置された内歯歯車としてのリングギヤＲと、これらのギヤＳ、Ｒに噛み合うピニオンギヤＰを自転可能かつサンギヤＳの周囲を公転可能に保持するキャリアＣとを備えている。サンギヤＳは、第１ＭＧ１２のロータ軸１２ａと連結されている。キャリアＣは、エンジン１１の出力軸１１ａと連結されている。リングギヤＲは、第１ドライブギヤ１６と連結されている。そのため、サンギヤＳが本発明の第２回転要素に、キャリアＣが本発明の第１回転要素に、リングギヤＲが本発明の第３回転要素にそれぞれ相当する。
【００１８】
この図に示すように第２ＭＧ１３のロータ軸１３ａには、第２ドライブギヤ２２が設けられている。第２ドライブギヤ２２は、カウンタギヤ１８と噛み合っている。第１ＭＧ１２は、インバータ２３を介してバッテリ２４と電気的に接続されている。同様に、第２ＭＧ１３もインバータ２５を介してバッテリ２４と電気的に接続されている。
【００１９】
エンジン１１の出力軸１１ａには、慣性モーメントを変化させることが可能な可変慣性フライホイール（以下、フライホイールと略称することがある。）３０が設けられている。図２は、フライホイール３０の断面を示している。この図に示したようにフライホイール３０は、互いに組み合わされた第１ホイール３１及び第２ホイール３２を備えている。第１ホイール３１は出力軸１１ａと一体回転するように出力軸１１ａに取り付けられている。第２ホイール３２は第１ホイール３１に対して相対回転可能なように軸受Ｂを介して第１ホイール３１に支持されている。フライホイール３０は第１ホイール３１と第２ホイール３２との間に介在する磁性流体Ｍｆと、その磁性流体Ｍｆに磁場を作用させるためのステータコイル３３とをさらに備えている。磁性流体Ｍｆは磁場の作用により粘性が高まる周知の流体である。ステータコイル３３は回転不能なようにケース（不図示）に固定される。磁性流体Ｍｆは、第１ホイール３１と第２ホイール３２との間に形成された流体収容室３４に収容されている。この流体収容室３４は、その内部と外部とが一対のシール装置３５にて仕切られている。
【００２０】
このフライホイール３０では、ステータコイル３３に電力が供給されると、第１ホイール３１と第２ホイール３２との間の溝部３６及び流体収容室３４に存在する磁性流体Ｍｆ及びその周囲に磁場が発生する。この図に示すようにステータコイル３３が発生させる磁場の磁束ａは、主にステータコイル３３、第２ホイール３２、及び第１ホイール３１を経由するように流れる。そのため、この磁場は第１ホイール３１と第２ホイール３２との間に介在する磁性流体Ｍｆに作用する。磁場の作用により磁性流体Ｍｆの粘性が高まるので、第１ホイール３１と第２ホイール３２とが一体回転するように互いに結合する。これにより、これらが相対回転する場合に比べて慣性質量が増加する。以下、この状態を高慣性状態と称することがある。
【００２１】
一方、磁場が発生していない場合には、第１ホイール３１と第２ホイール３２とが互いに相対回転するので、高慣性状態と比較して慣性質量が減少する。以下、この状態を低慣性状態と称することがある。
【００２２】
フライホイール３０は車両制御装置４０にて制御される。また、エンジン１１、第１ＭＧ１２、及び第２ＭＧ１３の動作も車両制御装置４０にて制御される。車両制御装置４０は、マイクロプロセッサ及びその動作に必要なＲＡＭ、ＲＯＭ等の周辺機器を含んだコンピュータユニットとして構成されている。車両制御装置４０は、車両１を適切に走行させるための各種制御プログラムを保持している。車両制御装置４０は、これらのプログラムを実行することによりエンジン１１及び各ＭＧ１２、１３等の制御対象に対する制御を行っている。なお、車両制御装置４０は、各インバータ２３、２５を制御することにより各ＭＧ１２、１３を制御する。車両制御装置４０には、車両１に係る情報を取得するための種々のセンサが接続されている。車両制御装置４０には、例えばアクセル開度センサ４１、ＳＯＣセンサ４２、及び車速センサ４３が接続されている。アクセル開度センサ４１は、アクセルペダルの踏み込み量、すなわちアクセル開度に対応した信号を出力する。ＳＯＣセンサ４２は、バッテリ２４の充電状態に対応した信号を出力する。車速センサ４３は、車両１の速度（車速）に対応した信号を出力する。この他にも車両制御装置４０には種々のセンサやスイッチ等が接続されているが、それらの図示は省略した。
【００２３】
車両制御装置４０は、車両１に対して加速が要求された場合には、加速制御を実行する。この加速制御では、第２ＭＧ１３を電動機として機能させ、第２ＭＧ１２から動力を出力して駆動輪２を駆動する。なお、エンジン１１で駆動輪２を駆動しているときに加速が要求された場合には、加速制御を実行して第２ＭＧ１３で駆動輪２の駆動をアシストする。また、車両制御装置４０は、車両１の減速時に回生制御を実行する。この回生制御では、各ＭＧ１２、１３を発電機として機能させる。そして、駆動輪２から入力された動力で各ＭＧ１２、１３を駆動し、これにより回生発電を行う。回生発電で発生した電力は、バッテリ２４に充電される。
【００２４】
図３は、フライホイール３０を制御するために車両制御装置４０が実行するフライホイール制御ルーチンを示している。この制御ルーチンは、車両１が走行中か否かに拘わりなく所定の周期で繰り返し実行される。この制御ルーチンを実行することにより、車両制御装置４０が本発明の制御手段として機能する。
【００２５】
この制御ルーチンにおいて車両制御装置４０は、まずステップＳ１１で車両１の状態を取得する。車両１の状態としては、例えば車速、アクセル開度及びバッテリ２４の充電状態が取得される。また、この処理では、第２ＭＧ１３から出力されているトルク（以下、出力トルクと称することがある。）及び回転数も取得される。上述したように第２ＭＧ１３は車両制御装置４０が制御している。そのため、この出力トルクは、例えばインバータ２５への制御指示値に基づいて取得すればよい。第２ＭＧ１３の回転数は、車速に基づいて算出すればよい。この処理では、この他にも車両１に関する種々の情報が取得されるがそれらの説明は省略する。次のステップＳ１２において車両制御装置４０は、車両１に対して加速が要求されているか否か判定する。この判定は、例えばアクセル開度に基づいて周知の判定方法で行えばよい。加速が要求されていないと判定した場合は、今回の制御ルーチンを終了する。
【００２６】
一方、加速が要求されていると判定した場合はステップＳ１３に進み、車両制御装置４０は切替トルクを算出する。この切替トルクには、第２ＭＧ１３から出力可能なトルクの最大値（以下、最大トルクと称することがある。）が設定される。周知のようにモータ・ジェネレータの最大トルクは、モータ・ジェネレータの仕様で決まっている。また、モータ・ジェネレータの最大トルクは、モータ・ジェネレータの回転数に応じて定まる。そこで、予め実験や数値計算等により第２ＭＧ１３の回転数と最大トルクとの関係を求め、車両制御装置４０のＲＯＭにマップとして記憶させておけばよい。そして、この第２ＭＧ１３の回転数及びこのマップに基づいて第２ＭＧ１３の最大トルク、すなわち切替トルクを算出すればよい。
【００２７】
次のステップＳ１４において車両制御装置４０は、第２ＭＧ１３の出力トルクが切替トルク以上か否か判定する。第２ＭＧ１３の出力トルクが切替トルク未満と判定した場合はステップＳ１５に進み、車両制御装置４０はフライホイール３０を低慣性状態に切り替える。なお、既にフライホイール３０が低慣性状態であった場合にはその状態を維持する。その後、今回の制御ルーチンを終了する。
【００２８】
一方、第２ＭＧ１３の出力トルクが切替トルク以上と判定した場合はステップＳ１６に進み、車両制御装置４０は所定の充電条件が成立しているか否か判定する。この充電条件は、バッテリ２４の残量が所定の判定値より少なく、バッテリ２４の充電を行う必要ある場合に成立したと判定される。なお、充電条件が成立している場合、第１ＭＧ１２を発電機として機能させ、エンジン１１から出力された動力で第１ＭＧ１２を駆動する。そして、これにより発生した電力をバッテリ２４に充電する。充電条件が成立していると判定した場合はステップＳ１４に進み、車両制御装置４０はフライホイール３０を低慣性状態に切り替える。その後、今回の制御ルーチンを終了する。
【００２９】
一方、充電条件が不成立と判定した場合はステップＳ１７に進み、車両制御装置４０はフライホイール３０を高慣性状態に切り替える。なお、既にフライホイール３０が高慣性状態であった場合にはその状態を維持する。その後、今回の制御ルーチンを終了する。
【００３０】
図４は、車両１に対して加速が要求されているときのフライホイール３０の状態、第２ＭＧ１３の出力トルク、及びエンジン１１のトルクの時間変化の一例を示している。なお、時刻ｔ１より少し手前から第２ＭＧ１３の最大トルクが徐々に減少しているが、これは時間が経過して車速が上昇したことによるものである。車速が上昇するに伴って第２ＭＧ１３の回転数が上昇するため、それに伴って第２ＭＧ１３の最大トルクが減少している。この図に示した例では、時刻ｔ１に第２ＭＧ１３の出力トルクが切替トルク（第２ＭＧ１３の最大トルク）に達している。そのため、時刻ｔ１にステータコイル３３に電力が供給される。時刻ｔ１から時刻ｔ２までの期間は、第２ホイール３２が第１ホイール３１と同期するまでに要する期間である。そのため、時刻ｔ２にフライホイール３０が高慣性状態に切り替わる。なお、この時刻ｔ１から時刻ｔ２までの期間は、エンジン１１が高効率の状態で運転される。そして、この図で斜線を付した部分のエネルギは、第２ホイール３２を第１ホイール３１に同期させるためのエネルギとして消費される。従って、この同期に消費されるエネルギを効率良く発生させることができる。
【００３１】
以上に説明したように、本発明では、車両１に対して加速が要求されている場合、第２ＭＧ１３の出力トルクが切替トルクに達するまではフライホイール３０を低慣性状態に切り替える。これによりエンジン１１の回転数を速やかに上昇させることができる。そのため、加速が要求されてからエンジン１１の出力が増大するまでの時間を短縮できる。また、出力軸１１ａの慣性質量が小さくなるので、エンジン１１の回転数を上昇させるために必要なエネルギを低減できる。これにより、例えばエンジン１１の動力の一部で第１ＭＧ１２を駆動し、第１ＭＧ１２で発生した電力を第２ＭＧ１３に回すことができる。この場合、第２ＭＧ１３に回せるエネルギを増加させることができるので、第２ＭＧ１３の出力トルクを速やかに上昇させることができる。そのため、加速レスポンスを向上させることができる。従って、加速性能を向上させることができる。
【００３２】
また、本発明では、車両１に対して加速が要求されている場合であっても第２ＭＧ１３の出力トルクが切替トルクに達した後はフライホイール３０を高慣性状態に切り替える。一般に、車両１に対して加速が要求された後は、車両１に対して減速が要求される。そのため、このように車両１の加速中にフライホイール３０を高慣性状態に切り替えておくことで、減速時に最初からフライホイール３０を高慣性状態にしておくことができる。周知のように慣性質量が大きいほど回生時に回収可能なエネルギを増加させることができる。そのため、減速時にフライホイール３０を低慣性状態から高慣性状態に切り替える場合と比較し、本発明では減速時における回生エネルギの回収量を増加させることができる。
【００３３】
上述した形態では、切替トルクに第２ＭＧ１３の最大トルクが設定される。第２ＭＧ１３の出力トルクが最大トルクに達した場合には、第２ＭＧ１３の出力トルクをこれ以上増加させることができない。そのため、フライホイール３０を高慣性状態に切り替えても加速レスポンスが悪化しない。
【００３４】
さらに、本発明では、充電条件が成立している場合には、車両１に対して加速が要求されており、かつ第２ＭＧ１３の出力トルクが切替トルクに達していたとしてもフライホイール３０が低慣性状態に維持される。フライホイール３０を低慣性状態にしておくことでフライホイール３０を回転させるために消費するエネルギを第１ＭＧ１２の駆動に回すことができる。これにより第１ＭＧ１２の発電量を増加させることができる。
【００３５】
なお、上述した形態では、切替トルクに第２ＭＧ１３の最大トルクを設定したが、切替トルクには適宜の値を設定してよい。例えば切替トルクに第２ＭＧ１３の定格トルクを設定してもよい。周知のように定格トルクは、モータ・ジェネレータが定格回転速度で動作しているときのトルクである。そして、一般に第２ＭＧ１３はこの定格トルクで動作する。そのため、第２ＭＧ１３の出力トルクが定格トルクに達した後は、第２ＭＧ１３が定格トルクで運転される可能性が高い。従って、このように切替トルクに定格トルクを設定することにより、上述した形態と同様に加速性能を向上させつつ減速時における回生エネルギの回収量を増加させることができる。この他、切替トルクには、第２ＭＧ１３の最大トルク又は定格トルクに基づいて適宜の値を設定してよい。
【００３６】
上述した形態では、第２ＭＧ１３の出力トルクが切替トルクに達したか否かに応じてフライホイール３０の状態を切り替えたが、インバータ２５の電流値、バッテリ２４の電圧、又は第２ＭＧ１３の温度などに応じてフライホイール３０の状態を切り替えてもよい。例えば、インバータ２５の電流値、バッテリ２４の電圧、及び第２ＭＧ１３の温度のうちの少なくともいずれか１つが所定の上限値に達した後、フライホイール３０を高慣性状態に切り替えてもよい。そのため、これらインバータ２５の電流値、バッテリ２４の電圧、又は第２ＭＧ１３の温度が本発明の物理量に相当する。
【００３７】
上述した形態では、第１ＭＧ１２が本発明の発電機に相当し、ロータ軸１２ａが本発明の回転軸に相当する。また、第２ＭＧ１３が本発明の電動機に相当する。
【００３８】
本発明は、上述した形態に限定されることなく、種々の形態にて実施することができる。例えば、本発明が適用されるハイブリッド車両は、上述した形態で示したハイブリッド車両に限定されない。例えば、エンジンの出力軸には慣性モーメントを変更できないフライホイールが設けられ、第１ＭＧのロータ軸に可変慣性フライホイールが設けられているハイブリッド車両に適用してもよい。また、エンジンの出力軸及び第１ＭＧのロータ軸の両方に可変慣性フライホイールが設けられているハイブリッド車両に適用してもよい。これらのハイブリッド車両でも、本発明を適用することにより、上述した形態と同様の作用効果を得ることができる。
【００３９】
本発明が適用されるハイブリッド車両に設けられる可変慣性フライホイールは、磁性流体を用いて慣性モーメントを変更するフライホイールに限定されない。可変慣性フライホイールは、慣性モーメントを変更可能なフライホイールであればよい。
【符号の説明】
【００４０】
１  車両
２  駆動輪
１１  内燃機関
１１ａ  出力軸
１２  第１モータ・ジェネレータ（発電機）
１２ａ  ロータ軸（回転軸）
１３  第２モータ・ジェネレータ（電動機）
１４  動力分割機構
１５  出力部
２１  遊星歯車機構(差動機構)
２４  バッテリ
２５  インバータ
３０  可変慣性フライホイール
４０  車両制御装置（制御手段）
Ｓ  サンギヤ（第２回転要素）
Ｃ  キャリア（第１回転要素）
Ｒ  リングギヤ（第３回転要素）
【図１】
2014125141.tif 000003
【図２】
2014125141.tif 000004
【図３】
2014125141.tif 000005
【図４】
2014125141.tif 000006